(57)【要約】【課題】  画像をダウンロード販売するサービス等において、広告の効果を向上させることが可能な画像ダウンロードシステム、ユーザ端末、サーバ、及び画像ダウンロード方法を提供する。【解決手段】  ユーザ端末において画像をダウンロードするためのパスコードの入力を受け付け、入力されたパスコードをサーバに送信すると、サーバは、ユーザ端末から送信されたパスコードを受信し、パスコードに紐づけて記憶されている画像を記憶部から取得しユーザ端末に送信する。ユーザ端末は、パスコードに紐づけて記憶された画像をサーバから受信し、表示する。この処理において、サーバは広告情報を取得してユーザ端末に対して送信する。ユーザ端末は画像を表示する前に広告を表示する。【選択図】図１０
2019149123.tif 000002
【特許請求の範囲】
【請求項１】
ダウンロードサイトのサーバと、ユーザ端末とがネットワークを介して通信接続された画像ダウンロードシステムであって、
前記ユーザ端末は、
前記サーバにアクセスする通信手段と、
画像をダウンロードするためのパスコードの入力を受け付ける入力手段と、
入力されたパスコードを前記サーバに送信するパスコード送信手段と、
前記パスコードに紐づけて記憶された画像を前記サーバから受信し、表示する画像表示手段と、
前記画像表示手段が画像を表示する前に広告を表示する広告表示手段と、を備え、
前記サーバは、
広告情報を取得し、前記ユーザ端末に対して送信する広告送信手段と、
前記ユーザ端末から送信されたパスコードを受信する受信手段と、
受信したパスコードに紐づけて記憶されている画像を記憶部から取得し、前記ユーザ端末に送信する画像送信手段と、
を備えることを特徴とする画像ダウンロードシステム。
【請求項２】
前記ユーザ端末は、前記サーバにアクセスする際に当該ユーザ端末の位置情報を取得し、
前記サーバの広告送信手段は、前記ユーザ端末から送信された位置情報またはユーザ端末からのアクセス日時情報に応じた広告情報を前記ユーザ端末に送信することを特徴とする請求項１に記載の画像ダウンロードシステム。
【請求項３】
前記サーバは、前記ユーザ端末に送信する広告情報を、広告情報を配信するサーバである広告配信サーバから取得することを特徴とする請求項１または請求項２に記載の画像ダウンロードシステム。
【請求項４】
前記ユーザ端末のパスコード送信手段は、前記広告表示手段により広告を表示した後、所定時間経過後に前記パスコードを前記サーバに送信することを特徴とする請求項１から請求項３のいずれかに記載の画像ダウンロードシステム。
【請求項５】
前記ユーザ端末のパスコード送信手段は、前記広告表示手段により広告を表示した後、所定時間経過後であって広告の表示を消去する指示が入力された場合に、前記パスコードを前記サーバに送信することを特徴とする請求項１から請求項３のいずれかに記載の画像ダウンロードシステム。
【請求項６】
前記広告表示手段は、前記広告と前記画像とを組み合わせて表示することを特徴とする請求項１から請求項５のいずれかに記載の画像ダウンロードシステム。
【請求項７】
ダウンロードサイトのサーバとネットワークを介して通信接続されたユーザ端末であって、
前記サーバにアクセスする通信手段と、
画像をダウンロードするためのパスコードを入力する入力手段と、
入力されたパスコードを前記サーバに送信するパスコード送信手段と、
前記パスコードに紐づけて記憶された画像を前記サーバから受信し、表示する画像表示手段と、
前記画像表示手段が画像を表示する前に広告を表示する広告表示手段と、
を備えることを特徴とするユーザ端末。
【請求項８】
ユーザ端末とネットワークを介して通信接続されたダウンロードサイトのサーバであって、
広告情報を取得し、前記ユーザ端末に対して送信する広告送信手段と、
前記ユーザ端末から送信されたパスコードを受信する受信手段と、
受信したパスコードに紐づけて記憶されている画像を記憶部から取得し、前記ユーザ端末に送信する送信手段と、
を備えることを特徴とするダウンロードサイトのサーバ。
【請求項９】
ダウンロードサイトのサーバと、ユーザ端末とがネットワークを介して通信接続された画像ダウンロードシステムにおける画像ダウンロード方法であって、
前記ユーザ端末が、前記サーバにアクセスするステップと、
前記サーバが、広告情報を取得し、前記ユーザ端末に対して送信するステップと、
前記ユーザ端末が、画像をダウンロードするためのパスコードの入力を受け付けるステップと、
前記ユーザ端末が、入力されたパスコードを前記サーバに送信するステップと、
前記サーバが前記ユーザ端末から送信されたパスコードを受信するステップと、
前記サーバが、受信したパスコードに紐づけて記憶されている画像を記憶部から取得し、前記ユーザ端末に送信するステップと、
前記ユーザ端末が、前記パスコードに紐づけて記憶された画像を前記サーバから受信し、表示するステップと、
前記ユーザ端末が、前記画像を表示する前に前記広告情報を表示するステップと、
を含むことを特徴とする画像ダウンロード方法。
【発明の詳細な説明】
【技術分野】
【０００１】
本発明は、画像ダウンロードシステム、ユーザ端末、サーバ、及び画像ダウンロード方法に関し、詳細には、撮影装置で撮影された画像をユーザ端末へ提供するサービスに関する。
【背景技術】
【０００２】
遊園地等の観光地を訪れた来場者を撮影して記念品として写真や画像データを販売するサービスがある（例えば引用文献１）。この種のサービスでは、画像データを販売する際、画像ダウンロード用のサイトへアクセスするためのＱＲコード（登録商標）付きダウンロードチケットを来場者に提供することがある。また、このダウンロードチケットに企業広告を印刷することもある。
【先行技術文献】
【特許文献】
【０００３】
【特許文献１】特開２００４−２２８６３７号公報
【発明の概要】
【発明が解決しようとする課題】
【０００４】
しかしながら、来場者がダウンロードチケットに添付されたＱＲコード（登録商標）からサイトにアクセスして画像をダウンロードするサービスを利用しても、必ずしも広告の効果が得られるとは限らないものであった。
【０００５】
本発明は、前述した問題点に鑑みてなされたものであり、その目的は、画像をダウンロード販売するサービス等において、広告の効果を向上させることが可能な画像ダウンロードシステム、ユーザ端末、サーバ、及び画像ダウンロード方法を提供することである。
【課題を解決するための手段】
【０００６】
前述した目的を達成するために第１の発明は、ダウンロードサイトのサーバと、ユーザ端末とがネットワークを介して通信接続された画像ダウンロードシステムであって、前記ユーザ端末は、前記サーバにアクセスする通信手段と、画像をダウンロードするためのパスコードの入力を受け付ける入力手段と、入力されたパスコードを前記サーバに送信するパスコード送信手段と、前記パスコードに紐づけて記憶された画像を前記サーバから受信し、表示する画像表示手段と、前記画像表示手段が画像を表示する前に広告を表示する広告表示手段と、を備え、前記サーバは、広告情報を取得し、前記ユーザ端末に対して送信する広告送信手段と、前記ユーザ端末から送信されたパスコードを受信する受信手段と、受信したパスコードに紐づけて記憶されている画像を記憶部から取得し、前記ユーザ端末に送信する画像送信手段と、を備えることを特徴とする画像ダウンロードシステムである。
【０００７】
第１の発明によれば、ユーザ端末において画像をダウンロードするためのパスコードの入力を受け付け、入力されたパスコードをサーバに送信すると、サーバは、ユーザ端末から送信されたパスコードを受信し、パスコードに紐づけて記憶されている画像を記憶部から取得しユーザ端末に送信する。ユーザ端末は、パスコードに紐づけて記憶された画像をサーバから受信し、表示する。この処理において、サーバは広告情報を取得し、ユーザ端末に対して送信する。ユーザ端末は画像表示手段が画像を表示する前に広告を表示する。これにより、画像をダウンロード販売するサービス等において、利用者に視聴されやすいタイミングで広告を配信することが可能となり、広告の効果を期待できる。
【０００８】
また、前記ユーザ端末は、前記サーバにアクセスする際に当該ユーザ端末の位置情報を取得し、前記サーバの広告送信手段は、前記ユーザ端末から送信された位置情報またはユーザ端末からのアクセス日時情報に応じた広告情報を前記ユーザ端末に送信することが望ましい。ユーザ端末の位置やアクセス日時等、利用者の状況に応じた広告をユーザ端末に配信することで、利用者にとって有益な広告を配信可能となる。
【０００９】
また前記サーバは、前記ユーザ端末に送信する広告情報を、広告情報を配信するサーバである広告配信サーバから取得することが望ましい。これにより、サーバ側で広告を管理しなくとも広告配信サーバから適切な広告が配信されるため、サーバの負担を軽減できる。
【００１０】
前記ユーザ端末のパスコード送信手段は、前記広告表示手段により広告を表示した後、所定時間経過後に前記パスコードを前記サーバに送信することが望ましい。また、前記ユーザ端末のパスコード送信手段は、前記広告表示手段により広告を表示した後、所定時間経過後であって広告の表示を消去する指示が入力された場合に、前記パスコードを前記サーバに送信してもよい。これにより、ユーザ端末に広告を表示する時間を確実に設けることが可能となる。
【００１１】
前記広告表示手段は、前記広告と前記画像とを組み合わせて表示することが望ましい。これによりユーザが撮影された画像と広告とが組み合わされた表示を行うことができ、ユーザの目を引く広告を提供できる。
【００１２】
第２の発明は、ダウンロードサイトのサーバとネットワークを介して通信接続されたユーザ端末であって、前記サーバにアクセスする通信手段と、画像をダウンロードするためのパスコードを入力する入力手段と、入力されたパスコードを前記サーバに送信するパスコード送信手段と、前記パスコードに紐づけて記憶された画像を前記サーバから受信し、表示する画像表示手段と、前記画像表示手段が画像を表示する前に広告を表示する広告表示手段と、を備えることを特徴とするユーザ端末である。
第２の発明により、第１の発明の画像ダウンロードシステムにおけるユーザ端末を提供できる。
【００１３】
第３の発明は、ユーザ端末とネットワークを介して通信接続されたダウンロードサイトのサーバであって、広告情報を取得し、前記ユーザ端末に対して送信する広告送信手段と、前記ユーザ端末から送信されたパスコードを受信する受信手段と、受信したパスコードに紐づけて記憶されている画像を記憶部から取得し、前記ユーザ端末に送信する送信手段と、を備えることを特徴とするダウンロードサイトのサーバである。
第３の発明により、第１の発明の画像ダウンロードシステムにおけるサーバを提供できる。
【００１４】
ダウンロードサイトのサーバと、ユーザ端末とがネットワークを介して通信接続された画像ダウンロードシステムにおける画像ダウンロード方法であって、前記ユーザ端末が、前記サーバにアクセスするステップと、前記サーバが、広告情報を取得し、前記ユーザ端末に対して送信するステップと、前記ユーザ端末が、画像をダウンロードするためのパスコードの入力を受け付けるステップと、前記ユーザ端末が、入力されたパスコードを前記サーバに送信するステップと、前記サーバが前記ユーザ端末から送信されたパスコードを受信するステップと、前記サーバが、受信したパスコードに紐づけて記憶されている画像を記憶部から取得し、前記ユーザ端末に送信するステップと、前記ユーザ端末が、前記パスコードに紐づけて記憶された画像を前記サーバから受信し、表示するステップと、前記ユーザ端末が、前記画像を表示する前に前記広告情報を表示するステップと、を含むことを特徴とする画像ダウンロード方法である。
【００１５】
第４の発明によれば、ユーザ端末において画像をダウンロードするためのパスコードの入力を受け付け、入力されたパスコードをサーバに送信すると、サーバは、ユーザ端末から送信されたパスコードを受信し、パスコードに紐づけて記憶されている画像を記憶部から取得しユーザ端末に送信する。ユーザ端末は、パスコードに紐づけて記憶された画像をサーバから受信し、表示する。この処理において、サーバは広告情報を取得してユーザ端末に対して送信する。ユーザ端末は画像を表示する前に広告を表示する。これにより、画像をダウンロード販売するサービス等において、利用者に視聴されやすいタイミングで広告を配信することが可能となり、広告の効果を期待できる。
【発明の効果】
【００１６】
本発明によれば、画像をダウンロード販売するサービス等において、広告の効果を向上させることが可能な画像ダウンロードシステム、ユーザ端末、サーバ、及び画像ダウンロード方法を提供することが可能となる。
【図面の簡単な説明】
【００１７】
【図１】画像ダウンロードシステム１の全体構成を示す図
【図２】チケット発券装置３の構成を示す図
【図３】撮像画像データ２０のデータ構成の例を示す図
【図４】ダウンロードチケット８２の例を示す図
【図５】ダウンロードサイトのサーバ５のハードウェア構成を示す図
【図６】広告配信サーバ６のハードウェア構成を示す図
【図７】ユーザ端末７のハードウェア構成を示す図
【図８】チケット発券処理の流れを示すフローチャート
【図９】画像ダウンロード処理の流れを示すフローチャート
【図１０】ユーザ端末７における画面遷移を示す図
【発明を実施するための形態】
【００１８】
以下、図面を参照しながら、本発明の実施の形態について詳細に説明する。本実施の形態では、遊園地等のアミューズメント施設やイベント会場等で来場者を撮影した画像を販売する画像撮影販売サービスにおいて、本発明を適用した例について説明するが、本発明はこの例に限定されない。本発明は、前述の課題を有する様々な画像撮影販売サービスに適用可能である。
【００１９】
図１は、本発明の画像ダウンロードシステム１の全体構成を示す図である。画像ダウンロードシステム１は、カメラ２（撮影装置）、ダウンロードチケット８２を発券するチケット発券装置３、ネットワーク４、ダウンロードサイトのサーバ５、広告配信サーバ６、ユーザ端末７等から構成される。以下、各構成について説明する。
【００２０】
カメラ２（撮影装置）は、撮影業者（カメラマン）が使用するカメラや、遊園地等のアトラクションに設置され来場者（被写体）の様子を撮影するデジタルカメラである。カメラ２（撮影装置）は、画像を撮影すると、画像の識別情報である撮影ＩＤを発行し、撮影した画像（静止画または動画）と撮影ＩＤとを、チケット発券装置３に送信し、撮影画像データ２０としてチケット発券装置３の記憶部３２またはストレージ１００に記憶する。なお、カメラ２とチケット発券装置３との通信接続は、有線または無線のいずれでもよい。
【００２１】
チケット発券装置３は、ダウンロードチケット８２を発券する装置である。ダウンロードチケット８２については後述する。図２は、チケット発券装置３のハードウェア構成の例を示す図である。図２に示すように、チケット発券装置３は、制御部３１、記憶部３２、表示部３３、入力部３４、通信部３５、プリンタ３６、ストレージ１００、及びバス３８等により構成される。
【００２２】
制御部３１は、ＣＰＵ（Central
Processing Unit）、ＲＯＭ（Read
Only Memory）、ＲＡＭ（Random
Access Memory）等によって構成される。ＣＰＵは、記憶部３２、ＲＯＭ、記録媒体等に格納されるプログラムをＲＡＭ上のワークメモリ領域に呼び出して実行し、バス３８を介して接続された各装置を駆動制御し、チケット発券装置３が行うチケット発券処理を実現する。
【００２３】
記憶部３２は、フラッシュメモリ、ＨＤＤ（Hard Disk Drive）等であり、制御部３１が実行するプログラム、プログラム実行に必要なデータ、ＯＳ（Operating System）等が格納される。プログラムに関しては、ＯＳに相当する制御プログラムや、ダウンロードチケット８２の発券処理をチケット発券装置３に実行させるためのアプリケーションプログラムが格納されている。これらの各プログラムコードは、制御部３１により必要に応じて読み出されてＲＡＭに移され、ＣＰＵに読み出されて各種の手段として実行される。
【００２４】
表示部３３は、チケット発券装置３の入力部を兼ねたタッチパネル付ディスプレイ等により実現される。表示部３３は、ユーザの操作・選択に係る各種の画面を表示し、画面上のタッチ操作によるユーザの指示入力等を受付ける。入力部３４は、上述のタッチパネル及び各種のボタン等により構成され、入力された信号を制御部３１に入力する。
【００２５】
通信部３５は、通信制御装置、通信ポート等を有し、チケット発券装置３とネットワーク４との間の通信を媒介する通信インタフェースであり、ネットワーク４を介して、ストレージ１００や他のコンピュータ間との通信制御を行うことが可能である。ネットワーク４は、有線、無線を問わない。バス３８は、各装置間の制御信号、データ信号等の授受を媒介する経路である。
【００２６】
プリンタ３６は、カメラ２により撮影された画像２０とダウンロードサイトのサーバ５へのアドレス情報を有する２次元コード（例えば、ＱＲコード（登録商標）やバーコード等）が記載されたダウンロードチケット８２を所定の用紙に印刷して出力する。プリンタ３６は、例えば、高解像度カラープリンタであり、昇華型、溶融型等、プリンタの方式は問わない。
【００２７】
記憶部３２またはストレージ１００は、カメラ２により撮影された画像（撮影画像データ２０）を記憶する。ストレージ１００は、カメラ２及びチケット発券装置３からネットワーク４を介してアクセス可能なオンラインストレージでもよい。
【００２８】
図３は、記憶部３２またはストレージ１００に記憶される撮影画像データ２０の内容を示す図である。撮影画像データ２０には、カメラ２により生成される撮影ＩＤ２１と、カメラ２により撮影された画像である画像２２と、パスコード２３とが紐づけられて格納される。
【００２９】
撮影ＩＤ２１は、カメラ２により撮影された画像を一意に識別する識別情報であり、カメラ２により１撮影毎に発行されるものとする。画像２２は、カメラ２により撮影された画像のデータである。パスコード２３は、ユーザがダウンロードサイトのサーバ５へアクセスする際に入力する認証コードである。パスコード２３は、チケット発券装置３によりダウンロードチケット８２の発券毎、すなわち画像２２毎に発行されるものとする。
【００３０】
図４は、チケット発券装置３のプリンタ３６により印刷される印刷物８の例を示す図である。図４に示すように、印刷物８は、２つに切り離すためのミシン目８３を有している。ミシン目８３を境界として一方の領域８１（図４では左側領域）には、画像販促用として無償提供されるサンプル写真８４が印刷される。また、ミシン目８３を境界として他方の領域（図４では右側領域）が画像購入後に提供されるダウンロードチケット８２である。
【００３１】
サンプル写真８４は、カメラ２により撮影された画像が印刷されており、この画像の下には当該画像のダウンロード用の識別情報であるパスコード２３を示す情報８５が印刷されている。ダウンロードチケット８２には、動画のダウンロード手順を説明する文章８７とともに、ダウンロードサイトのサーバ５へのアドレス情報８８が２次元コードの形態で印刷されている。また、ダウンロードチケット８２には、企業広告等の広告情報８６が印刷される。
【００３２】
会場スタッフ等は、ミシン目８３でダウンロードチケット８２を切り離し、サンプル写真８４側の半券８１を来場者（サンプル写真８４の被写体）に無償で提供する。
【００３３】
来場者（またはその家族や友人など）がサンプル写真８４を見て、画像データのダウンロード購入を決めた場合には、サンプル写真８４をスタッフ等に提示し、画像データの購入代金と引き換えに、ダウンロードチケット８２側の半券を受け取ることができる。
【００３４】
なお、図４に示すように、サンプル写真８４側の半券８１とダウンロードチケット８２側の半券のそれぞれには、サンプル写真８４とダウンロードチケット８２とのセットを識別する同一の識別コード８９（「０００４」）が印刷されている。この識別コード８９によって、サンプル写真８４とダウンロードチケット８２とを照合させることができるので、スタッフ等が、誤って別のダウンロードチケットを購入者に提供してしまうようなことを防ぐことができる。
【００３５】
次に、ダウンロードサイトのサーバ５について説明する。ダウンロードサイトのサーバ５は、カメラ２で撮影された画像をユーザ端末７に配信するサーバである。図５は、ダウンロードサイトのサーバ５のハードウェア構成を示す図である。
【００３６】
図５に示すように、ダウンロードサイトのサーバ５は、例えば制御部５１、記憶部５２、及び通信部５３等をバス５８等により接続して構成したコンピュータにより実現できる。但し、これに限ることなく、適宜様々な構成をとることができる。
【００３７】
制御部５１、記憶部５２、通信部５３の機能は上述した制御部３１、記憶部３２、通信部３５と略同様である。なお、ダウンロードサイトのサーバ５の記憶部５２には後述する処理をサーバ５に実行させるためのプログラムが格納される。
【００３８】
広告配信サーバ６は、複数の広告情報を記憶しており、サーバ５に広告情報を提供するサーバである。
図６は、広告配信サーバ６のハードウェア構成を示す図である。図６に示すように、広告配信サーバ６は、例えば制御部６１、記憶部６２、及び通信部６３等をバス６８等により接続して構成したコンピュータにより実現できる。但し、これに限ることなく、適宜様々な構成をとることができる。
【００３９】
制御部６１、記憶部６２、通信部６３の機能は上述した制御部３１、記憶部３２、通信部３５と略同様である。記憶部６２には、ユーザ端末７に配信される広告データ６０（静止画像または動画像）が複数記憶されている。なお、広告データ６０は、ユーザ端末７の位置やアクセス日時に適した広告が複数記憶されることが望ましい。広告配信サーバ６は、ダウンロードサイトのサーバ５からユーザ端末７の位置情報やアクセス日時情報を受け取ると、その位置情報やアクセス日時情報に応じた適切な広告データ６０をサーバ５に送信する。サーバ５は、広告配信サーバ６から受信した広告データ６０をユーザ端末７に送信する。
【００４０】
ユーザ端末７は、ダウンロードチケット８２を購入した購入者が保有するスマートフォンなどの情報端末である。ダウンロードチケット８２に印刷されたアドレス情報８８（２次元コード）をユーザ端末７のカメラ７６等で読み取ることで、ダウンロードサイトのサーバ５へアクセスし、撮影された画像をダウンロードして閲覧することができる。画像ダウンロード処理については後述する（図９）。
【００４１】
図７はユーザ端末７のハードウェア構成を示す図である。図７に示すように、ユーザ端末７は制御部７１、記憶部７２、表示部７３、入力部７４、通信部７５、カメラ７６、音声入出力部７７等をバス７８等により接続して構成される。但し、これに限ることなく、適宜様々な構成をとることができる。
【００４２】
制御部７１、記憶部７２、入力部７４、通信部７５の機能は上述した制御部３１、記憶部３２、入力部３４、通信部３５と略同様である。また表示部７３は液晶パネル等のディスプレイ装置を有し、入力部７４としてのタッチパネルが設けられている。音声入出力部７７はマイクやスピーカー等である。
【００４３】
次に、図８〜図１０を参照して、画像ダウンロードシステム１が実行する各処理について説明する。
【００４４】
まず、図８を参照して、来場者（被写体）を撮影し、撮影画像をチケット発券装置３に送信してダウンロードチケット８２を発券する処理（チケット発券処理）について説明する。
【００４５】
撮影者がカメラ２により来場者を被写体として撮影を行う（ステップＳ１０１）。カメラ２は、当該撮影を識別するための撮影ＩＤ２１を発行し、撮影した画像２２とともにチケット発券装置３へ送信する（ステップＳ１０２）。
【００４６】
チケット発券装置３の制御部３１は、カメラ２から撮影ＩＤ２１と画像２２を受信する（ステップＳ１０３）と、受信した画像２２に対してパスコード２３を発行する（ステップＳ１０４）。チケット発券装置３の制御部３１は、ステップＳ１０３で受信した撮影ＩＤ２１、画像２２、及びステップＳ１０４で発行したパスコード２３を紐づけて記憶部３２またはストレージ１００に記憶する（ステップＳ１０５；図３）。
【００４７】
次に、チケット発券装置３の制御部３１は、ダウンロードチケット（印刷物）８を作成する（ステップＳ１０６）。上述したように、印刷物８には、ステップＳ１０３で受信した画像２２がサンプル写真８４としてレイアウトされるとともに、当該画像２２のダウンロード用の識別情報であるパスコード２３を示す情報８５、画像２２のダウンロード手順を説明する文章８７とともに、ダウンロードサイトのサーバ５へのアドレス情報８８を有する２次元コード、サンプル写真８４側の半券８１とダウンロードチケット８２側の半券とを照合するための識別コード８９等がレイアウトされる。
【００４８】
制御部３１は、作成したダウンロードチケット（印刷物）８をプリンタ３６に出力し、所定の用紙に印刷させる（ステップＳ１０７）。
【００４９】
本実施の形態では、所定の用紙とは、２つに切り離すことが可能なミシン目を有するキャリー用紙であり、プリンタ３６は、ミシン目を境界として用紙の一方側にサンプル写真８４とパスコード２３を示す情報８５を印刷し、ミシン目を境界として用紙の他方側に広告８６、画像ダウンロード手順８７、２次元コード８８を印刷する。また、プリンタ３６は、用紙の一方側と他方側の双方に同一の識別コード８９を印刷する。これにより、図４に示すような印刷物８が出来上がる。図４に示すように、印刷物８のうち、ミシン目８３を境界として左側が、無償提供するサンプル写真８４となり、ミシン目８３を境界として右側がチケット購入後に提供されるダウンロードチケット８２となる。サンプル写真８４は、撮影された来場者に無償で提供され、右側のダウンロードチケット８２は、購入代金と引き換えに有償で提供される（課金処理；ステップＳ１０８）。
【００５０】
なおダウンロードチケット８２に印刷される広告８６は、任意の広告情報であり、画像や文字等が印刷される。この広告８６は、予めチケット発券装置３に記憶されている広告情報や、或いは、チケット発券装置３の通信部３５によりネットワーク４を介して通信接続された広告配信サーバ６から取得した広告情報等である。
【００５１】
次に、図９、図１０を参照して、ダウンロードチケット８２の購入者が保有するユーザ端末７を用いて、ダウンロードサイトのサーバ５から画像２２をダウンロードする処理（画像ダウンロード処理）について説明する。
【００５２】
ここでは、図４のダウンロードチケット８２を用いて、図５の撮影ＩＤ２１（「００００１」）に紐づく画像２２をダウンロードする場合を説明する。なお、この画像２２は、ダウンロードチケット８２に２次元コード８８の形態で印刷されたアドレス情報によって指定されるダウンロードサイトのサーバ５にアップロードされているものとする。サーバ５は認証が必要なＷｅｂサイトのサーバであり、サンプル写真８４に印刷されたパスコード２３を示す情報８５によって認証を行うものとする。
【００５３】
まず、購入者は、ユーザ端末７で画像ダウンロード用のアプリを起動する（ステップＳ２０１）。アプリを起動すると、ユーザ端末７の制御部７１は、カメラ７６を起動して、図１０（ａ）に示すような２次元コード読取画面９１を表示し、ダウンロードチケット８２の２次元コード８８をユーザ端末７に読み取らせる（ステップＳ２０２）。制御部７１は、ダウンロードサイトのサーバ５へアクセスするか否かをユーザが確認するための確認画面９２（図１０（ｂ））を表示部７３に表示する（ステップＳ２０３）。確認画面９２において、ユーザがダウンロードサイトのサーバ５へのアクセスを認めると、制御部７１は、通信部７５によりダウンロードサイトのサーバ５へアクセスする（ステップＳ２０４）。このとき、ユーザ端末７は、位置情報をユーザ端末７のＧＰＳ等から取得してサーバ５へ送信することが望ましい。
【００５４】
ダウンロードサイトのサーバ５は、ユーザ端末７からアクセスがあると、広告配信サーバ６に対して広告取得要求を送る（ステップＳ２０５）。ステップＳ２ー５において、ダウンロードサイトのサーバ５は、ユーザ端末７から受信したユーザ端末７の位置情報及びサーバ５へのアクセス日時情報を広告配信サーバ６に送信することが望ましい。
【００５５】
広告配信サーバ６は、ダウンロードサイトのサーバ５からの要求に従って、記憶部６２から広告データ６０を取得し、ダウンロードサイトのサーバ５に送信する（ステップＳ２０６）。ユーザ端末７の位置情報及びサーバ５へのアクセス日時情報がダウンロードサイトのサーバ５から送信されている場合は、ユーザ端末７の位置情報及びサーバ５へのアクセス日時情報に応じた広告データ６０を記憶部２６から取得し、ダウンロードサイトのサーバ５へ送信することが望ましい。
【００５６】
ダウンロードサイトのサーバ５は、広告配信サーバ６から広告データ６０を取得すると、ステップＳ２０４でアクセスしたユーザ端末７に対して広告データ６０を送信する（ステップＳ２０７）。ユーザ端末７は、広告データ６０を受信して、図１０（ｃ）に示すように広告表示画面９３に表示する（ステップＳ２０８）。
【００５７】
ダウンロードサイトのサーバ５は、広告データ６０を送信後、ユーザ端末７に対してパスコード入力画面９４を送信する（ステップＳ２０９）。ユーザ端末７は、広告の表示開始から所定時間が経過した後、ダウンロードサイトのサーバ５から送信されたパスコード入力画面９４を表示部７３に表示する。或いは、ユーザ端末７は、広告の表示開始から所定時間が経過した後であって、広告の表示を消去する指示が入力された場合に、パスコード入力画面９４を表示部７３に表示してもよい。このように、広告を表示してからパスコードの入力までに所定の時間間隔を設けてユーザ端末７に広告を表示させることで、ユーザが画像をダウンロードする前（パスコード入力前）に広告を目にすることができる。
【００５８】
図１０（ｄ）に示すようなパスコード入力画面９４が表示され、ユーザによりパスコード２３が入力されると、ユーザ端末７の制御部７１は、入力されたパスコード２３をダウンロードサイトのサーバ５に対して送信する。ダウンロードサイトのサーバ５は、パスコード２３を受信し、正しく認証されると（ステップＳ２１１）、ユーザ端末７にパスコード２３に対応する画像２２を送信する（ステップＳ２１２）。
【００５９】
ユーザ端末７には、図１０（ｅ）に示すようなダウンロード画面９５が表示され、ダウンロードした画像２２が表示される（ステップＳ２１３）。ユーザは、カメラ２にて撮影された画像２２をユーザ端末７で閲覧したり保存したりすることが可能となる（ステップＳ２１４）。
【００６０】
なお、ユーザ端末７は、図１０（ｃ）の広告表示画面９３において、ダウンロードサイトのサーバ５から受信した画像２２と広告データ６０と組み合わせて表示するようにしてもよい。すなわち、ユーザ端末７は、ダウンロードチケット８２に２次元コード８８の形態で印刷されたアドレス情報によって指定されるダウンロードサイトのサーバ５からユーザ自身が写っている画像２２を取得するとともに、広告データ６０を受信する（ステップＳ２０７）。そしてユーザ端末７は、受信した広告データ６０に受信したユーザの画像２２を組み合わせて再生する。例えばユーザ端末７は、広告データ６０に映る人物（例えば俳優やモデル）の顔領域を認識するとともに画像２２に映るユーザの顔領域を認識し、広告データ６０の人物の顔画像をユーザの顔画像に入れ替えて、ユーザ自身が広告の一部となるような広告データ６０を再生する。このように、画像ダウンロード販売ならではの面白みのある広告データ６０を再生することもできる。
【００６１】
以上説明したように、本実施の形態によれば、遊園地等で来場者（被写体）を撮影した画像２２を来場者のユーザ端末７でダウンロードすることが可能となる。ユーザ端末７では、画像２２をダウンロードして表示する前に、広告が表示されるため、ユーザが広告を視聴した後に画像２２を取得することが可能となる。これにより、ユーザは、遊園地等で撮影された画像をユーザ端末でダウンロードできる。また、広告により有益な情報を得ることもできる。広告配信者である企業等は、広告の視聴数を増加させることができ、広告による販促等の効果を期待できるようになる。
【００６２】
以上、添付図面を参照しながら、本発明に係る好適な実施形態について説明したが、本発明はかかる例に限定されない。例えば、本実施の形態では、遊園地等における撮影サービスにおいて、本発明を適用した例について説明したが、キャラクターとのツーショット撮影販売サービス、観光スポットでの撮影販売サービス、結婚記念の撮影販売サービス、学校の卒業記念の撮影販売サービス等、様々な場面で本発明を適用することができる。また、その他のサービスにおいて、本発明を適用することもできる。
【００６３】
また、本実施の形態では、ダウンロードチケット８２は印刷物８（紙媒体）による出力の例を説明したが、出力の形態は紙媒体に限定されない。例えば、近距離無線通信機能等を利用してチケット発券装置３とユーザ端末７との間で通信接続を行い、印刷物８に相当するサンプル写真８４をデータ出力するようにしてもよい。この場合も、課金したユーザに対してはダウンロードチケット８２の半券部分をデータ出力して、ダウンロードサイトのサーバ５へのアクセス情報やパスコードを送るようにしてもよい。
【００６４】
その他、当業者であれば、本願で開示した技術的思想の範疇内において、各種の変更例又は修正例に想到し得ることは明らかであり、それらについても当然に本発明の技術的範囲に属するものと了解される。
【符号の説明】
【００６５】
１：画像ダウンロードシステム
２：カメラ
３：チケット発券装置
４：ネットワーク
５：ダウンロードサイトのサーバ
７：ユーザ端末
８：印刷物（ダウンロードチケット）
２０：撮影画像データ
２１：撮影ＩＤ
２２：画像
２３：パスコード
６０：広告データ
８２：ダウンロードチケット
８３：ミシン目
８４：サンプル写真
８５：パスコードを示す情報    
８６：広告
８８：２次元コード
８９：識別コード
１００：ストレージ
【図１】
2019149123.tif 000003
【図２】
2019149123.tif 000004
【図３】
2019149123.tif 000005
【図４】
2019149123.tif 000006
【図５】
2019149123.tif 000007
【図６】
2019149123.tif 000008
【図７】
2019149123.tif 000009
【図８】
2019149123.tif 000010
【図９】
2019149123.tif 000011
【図１０】
2019149123.tif 000012